(57)【要約】【課題】発声障害者が出したい音、喋りたい言葉を発することができて、発声障害者の発声機能の具現化を支援できる発声機能支援装置を提供する。【解決手段】発声障害者Ａは、頭部にブレインハット１を被っている。ブレインハット１は、脳活動に伴って発生する電場を計測する第１センサ２と、脳血流の状態を検出する第２センサ３とを有する。脳活動解析装置１１は、第１センサ２で得られた脳内電場を示す信号と、第２センサ３で得られた脳血流の状態を示す信号とに基づいて、発声障害者Ａの脳活動を解析し、その解析結果（発声障害者Ａが発したいと考えた音）を音声装置１２へ出力する。音声装置１２は、入力した解析結果に応じた音を発する。【選択図】図２
2006285224.tif 000002
【特許請求の範囲】
【請求項１】
被支援者の発声機能の具現を支援する装置において、前記被支援者の脳活動を表す情報を非侵襲的に取得する取得手段と、該取得手段が取得した情報に基づいて音を発する発音手段とを備えることを特徴とする発声機能支援装置。
【請求項２】
前記取得手段は、前記被支援者の脳を分割した複数の領域夫々における脳活動を表す情報を取得し、前記発音手段は、複数の領域で取得された脳活動を表す情報に基づいて、発すべき音を決定するようにしたことを特徴とする請求項１記載の発声機能支援装置。
【請求項３】
前記取得手段は、前記被支援者に装着される、脳が発生する電場を計測する第１センサと、脳内の血流状態を計測する第２センサとを有することを特徴とする請求項１または２に記載の発声機能支援装置。
【請求項４】
前記取得手段はｆＭＲＩ装置であって、前記被支援者である発声機能障害者の脳活動を前記ｆＭＲＩ装置で取得し、取得した情報に基づいて、前記発声機能障害者が所望する音を前記発音手段が発するようにしたことを特徴とする請求項１または２に記載の発声機能支援装置。
【発明の詳細な説明】
【技術分野】
【０００１】
本発明は、例えば発声機能に障害がある患者の発声機能の具現を支援する発声機能支援装置に関する。
【背景技術】
【０００２】
近年、脳活動の研究が進んでおり、脳から発生する微弱電場（脳波）及び微弱磁場（脳磁波）の計測精度は高くなっている。また、脳内の電流源の位置を高精度に推定するためのアルゴリスムも提案されている（例えば、特許文献１参照）。
【０００３】
例えば、喉頭癌または咽頭癌の手術によって声帯が除去された患者、事故によって声帯に障害を受けた患者、または、人工呼吸が行われている患者などのように発声機能が損なわれた患者（以下、発声障害者ともいう）にとって、音を発せられなくなったこと、つまり言葉を喋れなくなったことは、精神的に苦痛である。病気になるまでは全く意識せずにで発声を行えていたこともあって、喋れなくなったときの不安感，焦燥感は増長されることになる。
【特許文献１】国際公開第０３／０５７０３５号パンフレット
【発明の開示】
【発明が解決しようとする課題】
【０００４】
喉頭部または咽頭部の重篤な癌患者にとって、手術によって声帯が全摘出されることは避けられない場合が多い。声帯が摘出された患者は、声を失うことになる。このような発声障害者は、脳活動は正常であるので、喋りたい内容は普通に考えられるが、それを声として出せないため、精神的な苦痛が大きい。術後の患者は発声機能を取り戻すための食道発声または人工喉頭による発声リハビリテーションを受けるが、このリハビリテーション訓練は肉体的苦痛を伴うことが多い。
【０００５】
本発明は斯かる事情に鑑みてなされたものであり、発声障害者などの被支援者の脳活動をモニタし、そのモニタ結果に応じて音を発することにより、被支援者が出したい音、喋りたい言葉を発することができて、被支援者の発声機能の具現化を行える発声機能支援装置を提供することを目的とする。
【課題を解決するための手段】
【０００６】
本発明の発声機能支援装置は、被支援者の発声機能の具現を支援する装置において、前記被支援者の脳活動を表す情報を非侵襲的に取得する取得手段と、該取得手段が取得した情報に基づいて音を発する発音手段とを備えることを特徴とする。
【０００７】
本発明にあっては、発声障害者などの被支援者の脳活動を表す情報を非侵襲的に取得し、取得した情報に基づいた音を発する。よって、被支援者が正常に活動している脳で考えた、自身が出したい音、喋りたい言葉が出される。
【０００８】
本発明の発声機能支援装置は、前記取得手段が、前記被支援者の脳を分割した複数の領域夫々における脳活動を表す情報を取得し、前記発音手段が、複数の領域で取得された脳活動を表す情報に基づいて、発すべき音を決定するようにしたことを特徴とする。
【０００９】
本発明にあっては、発声障害者などの被支援者の脳を分割した複数の領域夫々から得られる脳活動を表す情報を総合的に判断して、発すべき音を決定する。よって、被支援者が所望する音を正確に検知する。
【００１０】
本発明の発声機能支援装置は、前記取得手段が、前記被支援者に装着される、脳が発生する電場を計測する第１センサと、脳内の血流状態を計測する第２センサとを有することを特徴とする。
【００１１】
脳活動を表す一つの指標である脳が発生する電場を示す信号は、時間分解能に優れているが、空間分解能は劣るという特性を有する。一方、脳活動を表す一つの指標である脳内の血流状態を示す信号は、空間分解能に優れているが、時間分解能は劣るという特性を有する。よって、これらの信号を組み合わせることにより、それぞれの信号の長所を活かして、発声障害者などの被支援者の正確な脳活動（発したい音）を検知することが可能となる。
【００１２】
本発明の発声機能支援装置は、前記取得手段がｆＭＲＩ装置であって、前記被支援者である発声機能障害者の脳活動を前記ｆＭＲＩ装置で取得し、取得した情報に基づいて、前記発声機能障害者が所望する音を前記発音手段が発するようにしたことを特徴とする。
【００１３】
例えば手術によって声帯が除去された発声障害者にｆＭＲＩ装置内に入ってもらい、その発声障害者の脳活動を表す情報（脳血流量変化・脳酸素代謝率変化）をｆＭＲＩ装置で取得し、取得した情報に基づいた音を発する。よって、発声障害者が所望する音（言葉）が出力されて、他の人との会話を行える。
【発明の効果】
【００１４】
本発明では、発声障害者などの被支援者の脳活動を表す情報を非侵襲的に取得し、取得した情報に基づいた音を発するようにしたので、被支援者が出したいと考えた音をそのまま出すことができ、発声障害者でも音声により意志を伝えることができる。
【００１５】
本発明では、発声障害者などの被支援者の脳を分割した複数の領域夫々から得られる脳活動を表す情報に基づいて発すべき音を決定するようにしたので、被支援者が所望する音を正確に出すことができる。
【００１６】
本発明では、脳活動の時間分解能に優れている脳が発生する電場を示す信号と、脳活動の空間分解能に優れている脳内の血流状態を示す信号とを組み合わせて、脳活動を非侵襲的に計測するようにしたので、発声障害者などの被支援者の脳活動の状態を正確に把握することができる。
【００１７】
本発明では、発声障害者の脳活動を表す情報をｆＭＲＩ装置で取得し、取得した情報に基づいて、発声障害者が所望する音（言葉）を発するようにしたので、例えば声帯を失った人でも他の人と会話を行うことがができる。
【発明を実施するための最良の形態】
【００１８】
以下、本発明をその実施の形態を示す図面に基づいて具体的に説明する。なお、本発明は、以下の実施の形態に限定されるものではない。
【００１９】
（第１実施の形態）
図１は、本発明の発声機能支援装置で使用する、脳活動を表す情報を非侵襲的に取得する取得手段としてのブレインハットを示す図である。ブレインハット１は、人間の頭部を覆うように帽子状をなした布製の下地体４に、２種類の第１センサ２，第２センサ３を複数個（例えば、数十個〜数百個）ずつ設けた構成をなしている。これらの第１センサ２及び第２センサ３は、等ピッチ（例えば、数ミリ間隔）で配設されている。
【００２０】
第１センサ２は、具体的には電極を有する脳波計（ＥＥＧ：Electroencephalogram）であり、外部からの刺激を受けて脳内の神経細胞が発生する電流に起因する微弱な電場（脳波）を検出する。各第１センサ２は、自身が設置された各部位での脳活動に伴う電場の経時的変化を計測して出力する。第１センサ２は、時間分解能に優れており、数ミリ秒単位での計測が可能である。
【００２１】
第２センサ３は、具体的には近赤外光センサ（ＮＩＲＳ：Near Infra Red Spectroscopy)であって、比較的短い波長を持つ赤外光を出射する発光素子とその赤外光の反射光を受ける受光素子とを一組として構成されており、発光素子からの出射光の脳内での吸収量に基づいて脳血流の状態を検出する。各第２センサ３は、自身が設置された各部位における脳血流を計測して出力する。第２センサ３は、磁場，電場のように他の領域からの影響を受けないため空間分解能に優れており、数ミリ単位での計測が可能である。
【００２２】
このような第１センサ２及び第２センサ３は、小型の構成であっても脳活動に関する情報を取得できるため、上述したようなブレインハット１に簡単に取り付けることができ、大型の構成を必要としない。
【００２３】
図２は、本発明の発声機能支援装置の構成を示す図である。発声障害者Ａは、図１に示したブレインハット１を頭部に被っている。ブレインハット１には、ブレインハット１の第１センサ２及び第２センサ３で検出された信号を入力する脳活動解析装置１１が接続されている。脳活動解析装置１１には、脳活動解析装置１１での解析結果に基づいた音を発する発音手段としての発音装置１２が接続されている。発音装置１２は、音に応じた音声波形を生成して出力する。
【００２４】
脳活動解析装置１１は、第１センサ２で得られた脳内電場を示す信号と、第２センサ３で得られた脳血流の状態を示す信号とに基づいて、発声障害者Ａの脳活動を解析し、その解析結果を発音装置１２へ出力する。解析結果は、具体的には、発声障害者Ａが出したいと考えた「あ」，「さ」，「き」，「こ」などの音である。発音装置１２は、この解析結果に基づく音を発声する。
【００２５】
このような構成により、発声障害者Ａが、なんらかの音を出したいと考えたとする。このときに、発したい音に応じた発声障害者Ａの脳の言語中枢における特定の部位で所定の脳活動が引き起こされるため、第１センサ２及び第２センサ３でその音に応じた特定の信号が検出される。よって、これらのセンサ２，３の検出信号を解析することにより、脳活動解析装置１１は、発声障害者Ａが発したい音を決定できる。
【００２６】
本発明では、発声障害者Ａが発したいと考えた音がそのまま音声として周囲に出力されるので、周囲の人と会話をすることができ、音声機能に障害があっても自分の意志を音声で伝達することができる。
【００２７】
なお、大脳皮質に電極を埋め込むような方法ではなく、ブレインハット１を被せて非侵襲的に脳内活動の情報を取得しているので、発声障害者Ａは苦痛を全く感じない。また、ブレインハット１を被るだけで良いので、発声障害者Ａへ過度の肉体的負担及び精神的負担を与えることがない。
【００２８】
（第２実施の形態）
次に、核磁気共鳴を利用した非侵襲脳機能計測技術であるｆＭＲＩ（functional Magnetic Resonance Imaging)を用いた実施の形態について説明する。
【００２９】
電気的信号を捉えるＥＥＧまたは磁気的信号を捉えるＭＥＧ（Magnetoencephalography) は、空間分解能が悪いために、活動領域の同定が難しく、また、筋電位を含む生体電気信号の影響を受け易い。これに対して、ｆＭＲＩはＮＩＲＳと同様に、脳血流の変化を捉えるものであり、活動領域の同定は難しくなく、生体電気信号の影響も少ない。特にｆＭＲＩは、空間分解能が高く、脳活動部位を容易かつ正確に特定できるため、ｆＭＲＩで得られる脳活動データから様々な情報を抽出することが可能であることが知られている。
【００３０】
図３は、本発明の発声機能支援装置の構成を示す図である。発声障害者Ｂは、ｆＭＲＩ装置２１内に入っている。発声障害者Ｂは、喉頭癌または咽頭癌の手術によって声帯が除去された術後患者であり、声帯の除去によって発声機能が消失している。但し、少なくとも言語中枢を含む脳活動は正常であり、どのような音（言葉）を発したいかという意志は健常者と変わらない。
【００３１】
ｆＭＲＩ装置２１には、ｆＭＲＩ装置２１で得られる信号（ＢＯＬＤ（Bold Oyygen Level Dependent)信号など）を入力する脳活動解析装置２２が接続されている。脳活動解析装置２２には、脳活動解析装置２２での解析結果に基づいた音を発する発音手段としての発音装置２３が接続されている。発音装置２３は、音に応じた音声波形を生成して出力する。
【００３２】
脳活動解析装置２２は、ｆＭＲＩ装置２１で得られる脳血流量・脳酸素代謝率の変化を示す信号に基づいて、発声障害者Ｂの脳活動を解析し、その解析結果を発音装置２３へ出力する。解析結果は、具体的には、発声障害者Ｂが出したいと考えた「あ」，「さ」，「き」，「こ」などの音である。発音装置２３は、この解析結果に基づく音を発声する。
【００３３】
このような構成により、発声障害者Ｂが、なんらかの音を出したいと考えたとする。このときに、発したい音に応じた発声障害者Ｂの脳の言語中枢における特定の部位で所定の脳活動が引き起こされるため、ｆＭＲＩ装置２１でその音に応じた特定の信号が検出される。よって、このｆＭＲＩ装置２１の検出信号を解析することにより、脳活動解析装置２２は、発声障害者Ｂが発したい音を決定できる。
【００３４】
したがって、発声障害者Ｂが発したいと考えた音がそのまま音声として周囲に出力されるので、音声機能に障害があっても自分の意志を音声で伝達することができ，周囲の人と会話をすることができる。
【００３５】
なお、上述した例では、発声機能が損なわれた発声障害者が本発明を利用する場合について説明したが、発声機能に障害がない健常者にも本発明の発声機能支援装置は適用可能である。例えば、会議の場において、自分の考えを周りの人に聞かれることなく特定の人に伝えることができる。また、自分が声を出して相手に自分の気持ちを伝えることが躊躇される場合でも、本発明の発声機能支援装置を利用すれば、気持ちを伝達できる。また、例えば歯科治療時のように、言葉を発せられない状況にある患者が担当医に、痛みの程度などを伝える場合ににも、本発明を利用できる。
【００３６】
以下、本発明の発声機能支援装置の実施に関連付けて本発明者が行った実験について説明する。図４は、この実験結果を示す図である。
【００３７】
「ぴ（pi）」，「ぽ（po）」，「ぎ（gi）」，「ご（go）」の４種の音について、被験者が実際に何れかの音を発し、その音を発したときの被験者の脳活動を表す情報を非侵襲的に取得し、取得した脳活動を表す情報を解析した。なお、脳活動を表す情報を取得する脳の領域としては、左運動野，右運動野，小脳上部，小脳下部の４つの部位とした。
【００３８】
図４（ａ）は、被験者が「ぴ（pi）」を発した場合の各部位における解析結果を表している。同様に、図４（ｂ），（ｃ），（ｄ）は、被験者がそれぞれ「ぽ（po）」，「ぎ（gi）」，「ご（go）」を発した場合の各部位における解析結果を表している。すべての音、すべての部位において、正しい音を最も高い確率で解析できていることが分かる。
【００３９】
特に、例えば、「ぴ（pi）」を発した場合、左運動野において取得した脳活動を表す情報に基づけば、１００％の確率で「ぴ（pi）」であることを解析できている。また、「ご（go）」を発した場合、小脳上部において取得した脳活動を表す情報に基づけば、１００％に近い確率で「ご（go）」であることを解析できている。全体として、８０％以上の確率で正しい解析結果が得られている。
【００４０】
ところで、本発明者の研究により、子音は運動野の脳活動と相関性が高く、母音は小脳の脳活動と相関性が高いことが分かった。よって、運動野の脳活動を表す情報に基づいて子音を解析し、小脳の脳活動を表す情報に基づいて母音を解析するようにすれば、正しい解析結果が得られる確率は上昇する。また、同じ音を出そうとした場合でも、その脳活動には個人差がある。よって、被験者が各音を出したときの脳活動を表す情報を事前に取得して記憶しておき、その記憶しておいた情報を参照して解析処理を行えば、正しい解析結果が得られる確率が上昇することは明白である。
【００４１】
このように、子音と母音とで解析対象の部位を変更したり、事前に記憶しておいた被験者の情報を参照することにより、上述の実験において正しい解析結果が得られる確率は、全ての音について、９８％以上にまで向上した。以上のような実験結果から、本発明の発声機能支援装置が容易に実現可能であることが証明されたといえる。
【図面の簡単な説明】
【００４２】
【図１】本発明で使用するブレインハットを示す図である。
【図２】本発明の発声機能支援装置の構成を示す図である。
【図３】本発明の発声機能支援装置の構成を示す図である。
【図４】本発明の発声機能支援装置の実施に関連付けて本発明者が行った実験の結果を示す図である。
【符号の説明】
【００４３】
１  ブレインハット（取得手段）
２  第１センサ
３  第２センサ
１１，２２  脳活動解析装置
１２，２３  発音装置（発音手段）
２１  ｆＭＲＩ装置（取得手段）
Ａ，Ｂ  発声障害者
【図１】
2006285224.tif 000003
【図２】
2006285224.tif 000004
【図３】
2006285224.tif 000005
【図４】
2006285224.tif 000006